(57)【要約】【課題】賞球確認作業を簡単に行い得ると共に遊技球の不正な入賞を阻止し得る遊技機を提供する。【解決手段】遊技盤２０の前側に、パチンコ球が流下可能な遊技領域２３が形成される。遊技盤２０に配設された枠状装飾体３４に、遊技領域２３に開口する特別入賞口３２ａが設けられる特別入賞部３２が配設される。特別入賞部３２は、特別入賞口３２ａを開閉する開閉部材４８と、特別入賞口３２ａに入賞したパチンコ球が通過する球通路５８とが設けられる。枠状装飾体３４に、閉鎖位置の開閉部材４８および球通路５８の前側を覆うカバー部材６１が配設される。カバー部材６１における球通路５８の前側を覆う位置であって遊技領域外に、パチンコ球を球通路５８に通入可能な検査用開口部６２ｂが設けられる。【選択図】図４
2016202334.tif 000002
【特許請求の範囲】
【請求項１】
遊技球が流下可能な遊技領域が前面側に形成された遊技盤を備える遊技機において、
前記遊技領域に対して入賞口を閉鎖する閉鎖位置および該入賞口を開放する開放位置に変位可能な開閉手段と、
前記入賞口に入賞した遊技球が通過する球通路と、
前記球通路を通過する遊技球を検出する検出手段と、
前記閉鎖位置の開閉手段および前記球通路の前側を覆うカバー部材と、
前記球通路における前記検出手段より上流側に連通するように前記遊技領域外に設けられ、遊技球を該球通路に通入可能な開口部とを備え、
前記開口部の大きさは、遊技球の１個分より大きく２個分より小さく設定されている
ことを特徴とする遊技機。
【請求項２】
前記開口部は、前記カバー部材における前記球通路の前側を覆う位置において前後に開口し、遊技球を前側から球通路に通入可能に構成された請求項１記載の遊技機。
【請求項３】
前記カバー部材は、前記閉鎖位置と開放位置との間を変位する開閉手段の変位領域の前側を覆うように延在している請求項１または２記載の遊技機。
【請求項４】
前記入賞口は、前記遊技盤の前面と前記カバー部材との間において前記遊技領域に対して横向きに開口し、
前記球通路における遊技領域から横方向に離間する下流端に前記検出手段が設けられ、
前記開口部は、前記検出手段から横方向にずれて設けられている請求項１〜３の何れか一項に記載の遊技機。
【請求項５】
前記開口部は、前記開放位置の開閉手段で案内されて前記球通路内を移動する遊技球の移動経路から外れた位置に設けられている請求項１〜４の何れか一項に記載の遊技機。
【請求項６】
前記開閉手段は、前後方向の軸回りに回動自在に支持されて、前記カバー部材の裏面に沿って開放位置と閉鎖位置との間を回動するよう構成されている請求項１〜５の何れか一項に記載の遊技機。
【発明の詳細な説明】
【技術分野】
【０００１】
本発明は、遊技盤に設置された開閉手段の開閉により遊技球の入賞が制御される遊技機に関するものである。
【背景技術】
【０００２】
代表的な遊技機であるパチンコ機は、機内にセットされる遊技盤の盤面に画成した遊技領域の略中央位置に、該遊技領域の内周を区画する枠状の枠状装飾体(所謂センター役物)が配設されて、該枠状装飾体に設けられた開口部を介して複数の図柄を変動表示する液晶式やドラム式等の図柄表示装置を後方から臨ませると共に、該遊技盤における枠状装飾体の下方位置に、パチンコ球(遊技球)の入賞により図柄表示装置での図柄変動演出を開始させる始動入賞装置や大当り時等に特別入賞口(入賞口)を開放する特別入賞装置(入賞装置)を配設するよう構成されたものが多数提案されている。この種のパチンコ機では、前記遊技領域に打ち出されたパチンコ球が遊技領域内に植設された遊技釘等との接触により跳ね返りながら次第に自重により流下し、該遊技領域を流下する過程で前記始動入賞装置に入賞することにより、所定数の賞球が払い出されると共に、前記図柄表示装置での図柄変動演出に伴うリーチ演出等の各種の遊技演出がなされる。そして、図柄表示装置に図柄が所定の組み合わせで停止することにより所謂大当りが発生すると、特別入賞口を開閉可能に閉鎖する特別入賞装置の開閉部材(開閉手段)が開閉動作されて、特別入賞口へのパチンコ球の入賞機会が与えられ、遊技者が賞球を獲得し得るようになっている。
【０００３】
前記特別入賞装置等の入賞装置は、常には開閉部材が閉状態となってパチンコ球の入賞口への入賞が阻止されると共に、所定条件のもとで駆動装置が開閉部材を開放作動して、パチンコ球の入賞口への入賞を許容するようになっている。このような入賞装置に対し、パチンコ機の隙間から遊技領域内へ侵入させた針金等で前記開閉部材を強制的に開放し、パチンコ球を入賞させる不正行為(所謂、ゴト行為)が近年多発しており問題となっている。そこで、このような不正行為に対処するものとして、例えば、特許文献１に示す入賞装置が提案されている。特許文献１の入賞装置は、開閉部材の閉鎖時に、該開閉部材の駆動源であるソレノイド以外の外力が開閉部材に加えられた場合には、該開閉部材に設けられた操作子がソレノイドのプランジャに当接規制されて、開閉部材の強制変位が阻止されるようになっている。
【先行技術文献】
【特許文献】
【０００４】
【特許文献１】特開２００３−３４００２０号公報
【発明の概要】
【発明が解決しようとする課題】
【０００５】
特許文献１に示す入賞装置は、ソレノイドのプランジャに前記操作子が当接規制されることで、ソレノイドの非作動時における開閉部材の開放を完全に不能とし得る。ところで、パチンコ機の検査工程で実施される入賞装置の賞球確認作業においては、ソレノイドの非作動状態でパチンコ球を入賞させる必要がある。前記入賞装置は、開閉部材の閉状態であっても該開閉部材の上部に設けた貫通孔を介してパチンコ球を入賞させ得るようになっているので、賞球確認作業を行うことはできる。しかしながら、所定条成の成立時にのみ入賞を許容する必要のある入賞装置には採用することができないばかりか、貫通孔を介して不正にパチンコ球が入賞されるおそれもある。
【０００６】
すなわち本発明は、従来の技術に係る遊技機に内在する前記問題に鑑み、これを好適に解決するべく提案されたものであって、賞球確認作業を簡単に行い得ると共に遊技球の不正な入賞を阻止し得る遊技機を提供することを目的とする。
【課題を解決するための手段】
【０００７】
前記課題を解決し、所期の目的を達成するため、本願の請求項１に記載の発明は、
遊技球が流下可能な遊技領域(23)が前面側に形成された遊技盤(20)を備える遊技機において、
前記遊技領域(23)に対して入賞口(32a)を閉鎖する閉鎖位置および該入賞口(32a)を開放する開放位置に変位可能な開閉手段(48)と、
前記入賞口(32a)に入賞した遊技球が通過する球通路(58)と、
前記球通路(58)を通過する遊技球を検出する検出手段(59)と、
前記閉鎖位置の開閉手段(48)および前記球通路(58)の前側を覆うカバー部材(61)と、
前記球通路(58)における前記検出手段(59)より上流側に連通するように前記遊技領域(23)外に設けられ、遊技球を該球通路(58)に通入可能な開口部(62b,64)とを備え、
前記開口部(62b,64)の大きさは、遊技球の１個分より大きく２個分より小さく設定されていることを要旨とする。
【０００８】
これによれば、カバー部材により閉鎖位置の開閉手段に対するアクセスを困難にして、遊技中のゴト行為による賞球の不正獲得を抑制できる。また、球通路に連通する開口部を設けたので、開閉手段を開放することなく該開口部から遊技球を球通路に通入することができ、カバー部材により防犯性を高めたもとで賞球確認作業を簡単に行い得る。しかも、開口部は遊技領域外に設けられているので、遊技中に遊技球を開口部から不正に通入して賞球が不正獲得されるのは防止できる。
【０００９】
請求項２に記載の発明では、
前記開口部(62b,64)は、前記カバー部材(61)における前記球通路(58)の前側を覆う位置において前後に開口し、遊技球を前側から球通路(58)に通入可能に構成されたことを要旨とする。
これによれば、開閉手段および球通路の前側を覆うカバー部材に、前後方向に開口するように開口部を設けたので、賞球確認作業に際して遊技球を前側から簡単に球通路に通入することができる。
【００１０】
請求項３に記載の発明では、
前記カバー部材(61)は、前記閉鎖位置と開放位置との間を変位する開閉手段(48)の変位領域の前側を覆うように延在していることを要旨とする。
これによれば、開閉手段の開放位置までの広い領域をカバー部材で覆うようにしたので、開閉手段に対するアクセスを更に困難にして、遊技中のゴト行為による賞球の不正獲得を抑制できる。
【００１１】
請求項４に記載の発明では、
前記入賞口(32a)は、前記遊技盤(20)の前面と前記カバー部材(61)との間において前記遊技領域(23)に対して横向きに開口し、
前記球通路(58)における遊技領域(23)から横方向に離間する下流端に前記検出手段(59)が設けられ、
前記開口部(62b,64)は、前記検出手段(59)から横方向にずれて設けられていることを要旨とする。
これによれば、所謂吊り球ゴトと称される不正行為によって開口部から球通路に通入させた遊技球は、検出手段で直接検出させ得る位置に吊り下げられないので、該遊技球によって短時間で検出手段を何度も検出状態とするのを抑制することができる。
【００１２】
請求項５に記載の発明では、
前記開口部(62b,64)は、前記開放位置の開閉手段(48)で案内されて前記球通路(58)内を移動する遊技球の移動経路から外れた位置に設けられていることを要旨とする。
これによれば、遊技中に開放した開閉手段で案内されて球通路内を移動する遊技球が開口部から外部に出てしまうのを防止し得る。
【００１３】
請求項６に記載の発明では、
前記開閉手段(48)は、前後方向の軸回りに回動自在に支持されて、前記カバー部材(61)の裏面に沿って開放位置と閉鎖位置との間を回動するよう構成されていることを要旨とする。
これによれば、開閉手段とカバー部材との隙間を小さくすることができ、隙間から針金等を侵入させる不正行為を抑制し得る。
【発明の効果】
【００１４】
本発明に係る遊技機によれば、賞球確認作業を簡単に行い得るもとで、遊技球の不正入賞を防止し得る。
【図面の簡単な説明】
【００１５】
【図１】本発明の実施例に係るパチンコ機を示す正面図である。
【図２】実施例に係る遊技盤を示す概略正面図である。
【図３】実施例に係る枠状装飾体、透明パネル、遊技盤および設置部材を分解して前側から視た概略斜視図である。
【図４】実施例に係る遊技盤の要部縦断正面図である。
【図５】(ａ)は、実施例に係る枠状装飾体、カバー部材および特別入賞部の本体を分解して前側から視た要部概略斜視図であり、(ｂ)は、実施例に係るカバー部材を後側から視た概略斜視図である。
【図６】実施例に係る枠状装飾体における特別入賞部の配設部位を示す要部縦断側面図である。
【図７】実施例に係る枠状装飾体における特別入賞部の配設部位を示す要部横断平面図である。
【図８】検査用開口部を設ける部位の変更例を示す説明図である。
【発明を実施するための形態】
【００１６】
次に、本発明に係る遊技機につき、好適な実施例を挙げて、添付図面を参照しながら以下詳細に説明する。なお、実施例では、遊技球としてパチンコ球を用いて遊技を行うパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１７】
(パチンコ機１０について)
実施例に係るパチンコ機１０は、図１に示すように、前後に開口する矩形枠状に形成されて遊技店の図示しない設置枠台に縦置き姿勢で設置される固定枠としての外枠１１の開口前面側に、遊技盤２０を着脱可能に保持する本体枠としての中枠１２が開閉および着脱可能に組み付けられて、該遊技盤２０の裏側に、複数種類の図柄を変動表示可能な表示装置１７が着脱可能に配設されている。また、前記中枠１２の前面側には、前記遊技盤２０を透視保護するガラス板や透明な合成樹脂材により形成された透視保護板１３ｂで前後に開口する窓部１３ａを覆うよう構成された前枠１３が開閉可能に組み付けられると共に、該前枠１３の下方にパチンコ球を貯留する下球受け皿１５が開閉可能に組み付けられる。なお、実施例では、前記前枠１３の下部位置に、パチンコ球を貯留する上球受け皿１４が一体的に組み付けられており、前枠１３の開閉に合わせて上球受け皿１４も一体的に開閉するよう構成される。なお、実施例では、前記表示装置１７としては、各種図柄を表示可能な液晶パネルを収容ケースに収容した液晶表示装置が採用されるが、これに限られるものではなく、ドラム式の表示装置やドットマトリックス式の表示装置等の各種図柄を停止および変動表示可能な従来公知の各種の表示装置を採用し得る。
【００１８】
図１に示す如く、前記前枠１３には、窓部１３ａを囲繞するようランプ装置(発光手段)１８が配設されると共に、前枠１３の上部位置に、音声や効果音を出力可能なスピーカ(音出力手段)１９が配設されている。すなわち、前記ランプ装置１８に設けられたＬＥＤ等の発光体(図示せず)を点灯・点滅したり、前記スピーカ１９から適宜の音声を出力することで、前記表示装置１７で行われる各種の表示演出(図柄変動演出)に合わせて光による演出や音による演出を行い得るよう構成されている。また、前記上球受け皿１４は、前記前枠１３と別体に形成して中枠１２に対して開閉可能に組み付けるようにしてもよい。
【００１９】
また、前記前枠１３の右下方位置には、前記中枠１２に配設された打球発射装置(図示せず)を作動する操作ハンドル１６が設けられている。前記操作ハンドル１６は、左回転方向に付勢された操作レバー１６ａを備えており、該操作レバー１６ａを右回転するよう遊技者が回動操作することで前記打球発射装置が作動されて、前記上球受け皿１４に貯留されたパチンコ球が前記遊技盤２０に向けて発射されるようになっている。ここで、前記操作レバー１６ａの回動量に応じて前記打球発射装置によるパチンコ球の打球力が強弱変化するよう構成されており、遊技者が操作レバー１６ａの回動量を操作することで、前記遊技盤２０に形成された第１球流下経路２３ａ(後述)をパチンコ球が流下する所謂「左打ち」と、該遊技盤２０に形成された第２球流下経路２３ｂ(後述)をパチンコ球が流下する所謂「右打ち(ゴム打ち)」とを打ち分け得るようになっている。
【００２０】
(遊技盤２０について)
実施例の前記遊技盤２０は、アクリルやポリカーボネート等の光透過性の合成樹脂材から所定板厚の略矩形状に形成された平板状の透明板(遊技領域形成部材)であって、該遊技盤２０の裏側に前記表示装置１７が着脱自在に組み付けられている。遊技盤２０の前側には、図２に示す如く、前面(盤面)に配設された略円形状の案内レール２１によりパチンコ球が流下可能(移動可能)な遊技領域２３が画成されて、前記打球発射装置から発射されたパチンコ球が当該遊技領域２３内に打ち出されることで遊技が行われるようになっている。また、遊技盤２０の裏側に、該遊技盤２０との間に収容空間を画成する設置部材(収容空間画成部材)２２が配設されており、該収容空間に、発光により演出を行う発光演出装置や、可動体の動作により演出を行う可動演出装置等の各種演出手段が設置される。なお、前記表示装置１７は、設置部材２２の裏側に取り付けられて、該設置部材２２に設けた開口部(可視部)２２ａおよび枠状装飾体３４(後述)の開口部３４ａを介して遊技盤２０の前側から視認可能に臨むよう構成される。なお、遊技盤２０は、ベニヤ材や合成樹脂材等の非光透過性の板部材の表面に装飾シール等を貼付したものであってもよい。
【００２１】
前記案内レール２１は、図２に示す如く、前記遊技盤２０の左下部から右上部に至るよう左方向に膨出する円弧状に形成された外レール２４と、遊技盤２０の右上部、右下部および左上部に至るよう右方向に膨出する円弧状に形成された内レール２５,２６とから構成されている。前記内レール２５,２６は、外レール２４の右上端部に連接して遊技盤２０の右上部から下部に亘って配設され、左端縁が右方に凹む円弧状に形成された盤面飾り部材２５と、遊技盤２０の下部から左上部に亘って配設されて盤面飾り部材２５の下端部に連接し、前記外レール２４の右方(内側)に離間して位置するレール部材２６とから構成され、該外レール２４およびレール部材２６により１個のパチンコ球が通過可能な発射通路２１ａが画成されている。ここで、前記内レールを構成するレール部材２６は、前記遊技盤２０の左上部に開放端を臨ませて外レール２４との間に遊技領域２３に開口する打出し口２１ｂを画成するよう構成されて、前記打球発射装置から発射されたパチンコ球が発射通路２１ａの下方開口から飛翔して、レール部材２６の開放端側の打出し口２１ｂから遊技領域２３内に打ち出されるようになっている。
【００２２】
図２に示す如く、前記外レール２４と盤面飾り部材２５との接続位置は、外レール２４および盤面飾り部材２５の曲率の相違から段差が形成されており、該段差部分に緩衝ゴム２７が配設されている。すなわち、前記外レール２４の終端位置に臨むように緩衝ゴム２７が配設されて、前記打球発射装置から発射されて外レール２４に沿って終端位置まで移動して緩衝ゴム２７に当接したパチンコ球を減勢し得るようになっている。なお、前記緩衝ゴム２７は、前記第２球流下経路２３ｂに位置している。
【００２３】
前記遊技盤２０には、前後に貫通する装着口が前記遊技領域２３内に複数開設されて、各装着口に対して各種遊技構成部品が前側から取り付けられると共に、遊技領域２３の最下部位置には、該遊技領域２３に開口するアウト口２８が開設されており、遊技領域２３に打ち出されてアウト口２８に入球したパチンコ球が機外に排出されるよう構成される。また、前記遊技盤２０には、前記遊技領域２３内に多数の遊技釘２９が設けられると共に、後述する枠状装飾体３４の左側方に、遊技領域２３(第１球流下経路２３ａ)を流下するパチンコ球の接触に伴って回転する回転案内部材３０が回転自在に支持されており、遊技釘２９や回転案内部材３０との接触によりパチンコ球の流下方向が不規則に変化するよう構成されている。前記回転案内部材３０は、所謂「風車」とも称される部材であって、該回転案内部材３０の回転に伴ってパチンコ球を弾くように左右方向へ放出する部材である。なお、前記装着口の形成数は、遊技盤２０に対して取り付けられる各種遊技構成部品の個数や配設位置等により必要に応じて適宜決定される。
【００２４】
実施例の前記遊技盤２０には、図３に示す如く、前記案内レール２１で囲まれた遊技領域２３の略中央の大部分が開口する装着口３３に、前後に開口する開口部３４ａが形成された枠状装飾体３４が取り付けられ、該枠状装飾体３４の開口部３４ａを介して表示装置１７の表示部１７ａが遊技盤２０の前面側に臨むよう構成されている。また、遊技盤２０には、枠状装飾体３４の外側における遊技領域２３に臨む位置に、該遊技領域２３を流下するパチンコ球が入賞可能な始動入賞部３１が配設されており、始動入賞部３１の始動入賞口へのパチンコ球の入賞を契機として、所定数のパチンコ球が賞球として前記上下の球受け皿１４,１５に払い出されると共に前記表示装置１７の表示部１７ａにおいて図柄変動演出が開始されるようになっている。また、枠状装飾体３４に、後述する特別入賞部３２が配設されている。そして、表示装置１７での図柄変動演出の結果、該表示装置１７の表示部１７ａに所定の図柄組み合わせ(例えば同一図柄の三つ揃い等)で図柄が停止表示されることで所謂「大当り」が発生し、これにより特別入賞部３２へのパチンコ球の入賞が許容されて多数の賞球を獲得し得るようになっている。
【００２５】
(設置部材２２について)
前記設置部材２２は、図３に示す如く、前記遊技盤２０の外郭形状より僅かに小さな形状に形成された略矩形状の背面板と、該背面板の外周縁部から前方に突出する画壁部２２ｂとから前方に開口した箱状に形成されて、該画壁部２２ｂの開口前端部を遊技盤２０の裏面に当接させた状態で、当該遊技盤２０と設置部材２２とがネジにより固定される。そして、設置部材２２において遊技盤２０との間に画成される収容空間に、各種の発光演出装置や可動演出装置等の演出手段が設置されて、設置部材２２を基材とする１つのユニットとして扱い得るようになっている。また、前記設置部材２２の背面板には、前記枠状装飾体３４の開口部３４ａと前後に整列する位置に、略矩形状の開口部２２ａが前後に開口するよう開設されると共に、該背面板の裏側に前記表示装置１７が着脱自在に取り付けられて、該開口部２２ａを介して表示装置１７の表示部１７ａが遊技盤２０の前側に臨むようになっている。
【００２６】
(枠状装飾体３４について)
前記遊技盤２０に配設される前記枠状装飾体３４は、図２,図３に示す如く、前記遊技盤２０に開設された前記装着口３３の内側に沿って延在する環状に形成された枠状基部３５と、該枠状基部３５に設けられて前記遊技盤２０の前面より前方に突出し、前記遊技領域２３と表示装置１７の表示部１７ａを区切って該遊技領域２３の内周を画成する庇状部３６と、該庇状部３６の後縁から外方に延出する薄板状の台板部３７とを備える。そして、前記枠状基部３５を装着口３３に挿入すると共に台板部３７を遊技盤２０の前面に当接した状態で、該台板部３７をネジ等の固定手段で遊技盤２０に固定することで、枠状装飾体３４が遊技盤２０に取り付けられる。ここで、前記庇状部３６は、図２に示す如く、前記枠状装飾体３４(枠状基部３５)の左側縁の略中間位置から上縁および右下縁に亘って延在するように設けられており、開口部３４ａ側、すなわち表示装置１７における表示部１７ａの前面側を横切ってパチンコ球が流下(落下)するのを規制している。
【００２７】
前記枠状装飾体３４には、図２,図３に示す如く、前記開口部３４ａの下側に、ステージ３９が配設されると共に、開口部３４ａの左側に、遊技領域２３(第１球流下経路２３ａ)に開口して該遊技領域２３を流下するパチンコ球を取り込んでステージ３９に案内する球導入部４０が設けられ、該球導入部４０からステージ３９に通出されたパチンコ球は、ステージ３９上を左右に転動した後に、前記始動入賞部３１が配設されている遊技領域２３に排出される。またステージ３９の後端縁には、左右方向の全長に亘って上側に向けて所定高さで立上がる透明壁４１が設けられ、ステージ３９上を転動するパチンコ球が表示装置１７の表示部１７ａ側に移動するのを該透明壁４１で防止している。実施例では、枠状装飾体３４の開口部３４ａの略全体を塞ぐ透明パネル４２が、該開口部３４ａの内側に配設されて、該透明パネル４２を介して表示装置１７の表示部１７ａが前側に臨むよう構成される。なお、透明パネル４２として、凹凸により文字等の図柄が形成された乱反射領域を有し、該透明パネル４２の端面から発光体の光をパネル内に導入することで、該光が乱反射領域で乱反射して図柄が発光表示されるものが採用されている。
【００２８】
(庇状部３６について)
前記庇状部３６は、図２に示す如く、最上部位置から左右方向に下方傾斜するよう形成されて、遊技領域２３に打ち出されたパチンコ球が庇状部３６上で滞ることなく前記枠状装飾体３４の左側方または右側方へ誘導されるよう形成されている。前記開口部３４ａの上方に臨む庇状部３６は、左右方向の所定領域が上側に凸となる略弧状に形成された転動面３６ａを有しており、該転動面３６ａの頂部は遊技盤２０の左右方向の略中央に位置している。また、庇状部３６には、転動面３６ａにおける左端部(第１球流下経路２３ａ側の端部)に接続して、該転動面３６ａから所定高さで下がる段部３６ｂが設けられている。そして、実施例では、庇状部３６と案内レール２１とで画成される遊技領域２３において、前記転動面３６ａの左端部(段部３６ｂの上端)を境界として、該左端部より左側が第１球流下経路２３ａとされ、該左端部より右側が第２球流下経路２３ｂとされ、前記案内レール２１の打出し口２１ｂは、第１球流下経路２３ａの上方で開口している。また、転動面３６ａは、前記外レール２４から下方(内側)に離間して対向するように位置し、第２球流下経路２３ｂを画成する転動面３６ａと外レール２４との間は、パチンコ球１個分の幅寸法より大きく、かつ遊技球２個分の幅寸法より小さな幅寸法に設定されている。
【００２９】
すなわち、前記遊技盤２０に画成された遊技領域２３には、前記枠状装飾体３４における庇状部３６の左側方をパチンコ球が流下する第１球流下経路２３ａ、および該枠状装飾体３４における庇状部３６の上方から右側方をパチンコ球が流下する第２球流下経路２３ｂが設けられており、前記庇状部３６の段部３６ｂに当ったパチンコ球は第１球流下経路２３ａを流下し、該庇状部３６の転動面３６ａに到来したパチンコ球は第２球流下経路２３ｂを流下するようになっている。換言すると、前記打球発射装置により遊技領域２３内に発射されたパチンコ球は、到達位置に応じて前記枠状装飾体３４の庇状部３６およびレール部材２６(内レール２６)の間に形成される第１球流下経路２３ａか、或いは枠状装飾体３４の庇状部３６、外レール２４および盤面飾り部材２５(内レール２５)の間に形成される第２球流下経路２３ｂの何れかを流下する。そして、実施例に係るパチンコ機１０では、前記第１球流下経路２３ａをパチンコ球が流下する場合(左打ちした場合)に、パチンコ球が第２球流下経路２３ｂを流下する場合に較べて前記始動入賞部３１にパチンコ球が入賞する可能性が高くなるよう構成されると共に、該第２球流下経路２３ｂをパチンコ球が流下する場合(右打ちの場合)に、パチンコ球が第１球流下経路２３ａを流下する場合に較べて前記特別入賞部３２へパチンコ球が入賞する可能性が高くなるよう構成されている。
【００３０】
前記庇状部３６に設けた段部３６ｂは、図２に示す如く、前記案内レール２１に設けた打出し口２１ｂの右上方に位置して、該打出し口２１ｂから遊技領域２３に打ち出されたパチンコ球が当り得るよう構成される。そして、一般的に「左打ち」を行う遊技者は、打球発射装置から打ち出されたパチンコ球が段部３６ｂに当るように、前記操作ハンドル１６の操作レバー１６ａの回動量を調節している。また、庇状部３６における転動面３６ａの右端から前記ステージ３９の右端までの間に延在する部分の途中に、前記特別入賞部３２の後述する特別入賞口３２ａを遊技領域２３(第２球流下経路２３ｂ)に開口させるための切欠部３６ｃが形成されている(図４参照)。
【００３１】
(突部４３,４４,４５について)
前記台板部３７の前面には、図２,図３に示す如く、前記第２球流下経路２３ｂに臨む位置に、複数(実施例では３つ)の突部４３,４４,４５が突設されており、該第２球流下経路２３ｂを流下するパチンコ球が該突部４３,４４,４５に接触することで、該パチンコ球の流下方向が変更されるよう構成される。各突部４３,４４,４５は、前記盤面飾り部材(内レール)２５に対し、パチンコ球が通過不能な間隔で対向し、各突部４３,４４,４５に接触したパチンコ球は盤面飾り部材２５から離間する方向に流下方向が変更されるようになっている。実施例では、３つの突部４３,４４,４５について、上側から第１突部４３、第２突部４４、第３突部４５と指称して区別する場合もある。
【００３２】
図２に示す如く、前記第１突部４３は、前記緩衝ゴム２７の配設位置に対応して位置し、前記第２突部４４は、枠状装飾体３４の上下方向の中央より上側に位置し、前記第３突部４５は、枠状装飾体３４の上下方向の中央より下側に位置している。また、３つの突部４３,４４,４５は、前記庇状部３６から遊技領域２３側(第２球流下経路２３ｂ側)にパチンコ球が通過可能な間隔で離間している。
【００３３】
前記庇状部３６における前記転動面３６ａの右端から下側で前記開口部３４ａを画成する部分の途中部位に、上下方向に所定長さで切欠かれた前記切欠部３６ｃが形成されており、該切欠部３６ｃの形成位置に対応して前記特別入賞部３２が設けられている。切欠部３６ｃは、図４,図５に示す如く、前記第２突部４４と第３突部４５との間の側方(開口部３４ａ側)に位置している。切欠部３６ｃより上側の庇状部３６は、前記第１突部４３および第２突部４４に対し、パチンコ球が通過可能な間隔(パチンコ球１個分の幅寸法より大きく、かつ遊技球２個分の幅寸法より小さな幅寸法)で離間して、各突部４３,４４と庇状部３６との間をパチンコ球が流下し得るよう構成される。なお、第１突部４３および第２突部４４と庇状部３６との間に画成される経路(第２球流下経路２３ｂの一部)は、左右方向に変位して当該経路を通過するパチンコ球を減勢するよう構成される。
【００３４】
前記切欠部３６ｃより上側に位置する第２突部４４は、図４に示す如く、前記盤面飾り部材２５と対向する面を底面とする略三角状に形成されて、該第２突部４４における底面の上端に接続して庇状部３６に向けて延在する上面４４ａは、盤面飾り部材２５から離間するにつれて下方傾斜するよう形成されて、該上面４４ａに接触したパチンコ球を庇状部３６に向けて案内するよう構成される。また、第２突部４４における上面４４ａおよび底面に接続する下面４４ｂは、庇状部３６から離間するにつれて下方傾斜するよう形成されている。前記庇状部３６における第２突部４４の左側に位置すると共に前記切欠部３６ｃの上端を画成する上領域画成壁４６は、左側(開口部３４ａ側)に凸となる弧状に形成されて、第２突部４４の上面４４ａで案内されて該上領域画成壁４６に接触したパチンコ球の流下方向を切欠部３６ｃの外側(盤面飾り部材２５)側に変更するよう構成される。すなわち、上領域画成壁４６に接触したパチンコ球は、切欠部３６ｃに対応して開口された後述する特別入賞口３２ａに直接は入賞しないよう構成されている。
【００３５】
前記第３突部４５における前記第２突部４４の下面４４ｂと対向する上面４５ａは、図４に示す如く、前記盤面飾り部材２５から離間するにつれて下方に傾斜するよう形成されると共に、該上面４５ａの下端は、前記切欠部３６ｃの下端と略同じ位置に位置している。また、第３突部４５の上面４５ａは、特別入賞部３２の後述する開閉部材４８の開放位置において(図４の二点鎖線位置)、該開閉部材４８との間にパチンコ球が通過可能な間隔で離間し、開放位置の開閉部材４８と第３突部４５との間にパチンコ球が詰まることがないよう構成される。なお、前記庇状部３６における第３突部４５の左側に位置すると共に前記切欠部３６ｃの下端を画成する下領域画成壁４７の上端部は、第３突部４５における上面４５ａの下端との間にパチンコ球が通過可能な間隔で左方に離間し、該下領域画成壁４７は第３突部４５の左方に位置する上端部から横方向(左方向)に延在した後に、左下側に向けて階段状に変位するように形成されている。
【００３６】
(特別入賞部３２について)
前記特別入賞部(入賞部)３２は、前記遊技領域２３(第２球流下経路２３ｂ)を流下するパチンコ球が入賞可能な特別入賞口(入賞口)３２ａと、該特別入賞口３２ａを開閉する開閉部材(開閉手段)４８と、特別入賞口３２ａを閉鎖する閉鎖位置および該特別入賞口３２ａを開放する開放位置とに開閉部材４８を変位させる駆動手段４９とを備える。具体的に、特別入賞部３２は、各種部品の基体となる本体５０に、前記特別入賞口３２ａが画成されると共に、前記開閉部材４８および駆動手段４９が本体５０に配設されて、該本体５０をユニットとして枠状装飾体３４に着脱自在に取り付けられるよう構成される。
【００３７】
前記本体５０は、図６,図７に示す如く、当該本体５０を枠状装飾体３４に取り付けた状態で、前記台板部３７の前面と略同一面に位置する前壁５０ａを備え、該前壁５０ａの前側に開閉部材４８が配設されると共に、該前壁５０ａの後側に駆動手段４９が配設される。また、前壁５０ａには、前方に突出する画壁５１,５２によって側方に開口する前記特別入賞口３２ａが画成されており、前記本体５０を枠状装飾体３４に取り付けた状態で、該特別入賞口３２ａが前記庇状部３６の切欠部３６ｃに対応して、該切欠部３６ｃを介して遊技領域２３(第２球流下経路２３ｂ)に特別入賞口３２ａが横向きに開口するよう構成される。画壁５１,５２は、図４,図５に示す如く、特別入賞口３２ａの上端側を画成する第１画壁５１と、下端側を画成する第２画壁５２を備える。第１画壁５１は、前記切欠部３６ｃの上端縁に接続して前記遊技領域２３(第２球流下経路２３ｂ)から離間するにつれて緩やかに下方傾斜する第１壁部５１ａと、該第１壁部５１ａの傾斜下端に接続して急勾配で下方傾斜する第２壁部５１ｂと、該第２壁部５１ｂの傾斜下端に接続して略鉛直下方に延在する第３壁部５１ｃとを備える。また、第２画壁５２は、第１画壁５１における第１壁部５１ａおよび第２壁部５１ｂから下方に離間して位置する底壁部５２ａと、該底壁部５２ａから下側に延在する下壁部５２ｂとを備え、底壁部５２ａと第１壁部５１ａとの間に特別入賞口３２ａが画成されるようになっている。
【００３８】
前記第１壁部５１ａと底壁部５２ａとの離間間隔は、パチンコ球２個分以上の幅寸法に設定されており、特別入賞口３２ａの上下方向の開口寸法がパチンコ球２個分以上となっている。また、前記底壁部５２ａの上面(後述する球通路５８の底面)は、前記切欠部３６ｃから離間するにつれて下方傾斜するよう構成されて、特別入賞口３２ａに入賞して当該底壁部５２ａの上面を転動するパチンコ球を後述する特別入賞検出手段５９の検出部５９ａにスムーズに案内するよう構成される。
【００３９】
図４に示すように、前記特別入賞部３２は、前記前壁５０ａの前側に位置する単一の前記開閉部材４８により特別入賞口３２ａを開閉するよう構成される。この開閉部材４８は、前壁５０ａに対して前後方向に延在する支持軸５３を介して前後方向の軸回りに回動自在に支持されたものであって、該開閉部材４８は、支持軸５３で支持される支持部４８ａから離間するつれて徐々に薄肉となる所謂フラップ状に形成されている。開閉部材４８は、支持部４８ａが前記第２画壁５２の底壁部５２ａより左側(切欠部３６ｃ側)において前壁５０ａに回動自在に支持されて、該支持部４８ａから離間する先端部(端部)４８ｂを上方に指向させた閉鎖位置(図４の実線位置)と、該先端部４８ｂを斜め右上方を指向させた開放位置(図４の二点鎖線位置)との間を変位可能に構成される。
【００４０】
前記前壁５０ａの裏側に配設される駆動手段４９は、図６に示す如く、ソレノイド５４と、該ソレノイド５４により進退移動されるプランジャ５５と、該プランジャ５５および開閉部材４８に連繋する連繋機構５６とを備え、プランジャ５５を進退移動することで作動する連繋機構５６によって、開閉部材４８を開閉作動させるよう構成される。実施例では、前記ソレノイド５４でプランジャ５５を上下方向に往復移動するように、該ソレノイド５４は縦向きに配置されている。そして、ソレノイド５４を励磁してプランジャ５５を上側に移動させることで開閉部材４８が開放位置(図４の二点鎖線位置)に変位すると共に、ソレノイド５４を非励磁としてプランジャ５５を下側に移動させることで開閉部材４８が閉鎖位置に変位(図４の実線位置)するよう構成される。なお、プランジャ５５は、ソレノイド５４の非励磁ではバネ５７によって下側に移動し、該バネ５７の付勢力によって開閉部材４８が閉鎖位置に保持されるようになっている。
【００４１】
前記開閉部材４８の支持部４８ａには、図４に示す如く、径方向の外方に向けて突出する突起部４８ｃが設けられると共に、前記前壁５０ａの前面には、前記第２画壁５２の底壁部５２ａから遊技領域２３(第２球流下経路２３ｂ)側に離間して規制部５０ｂが前側に向けて突設されている。また、開閉部材４８は、規制部５０ｂの上側において前記前壁５０ａに支持部４８ａが回動自在に支持されると共に、該支持部４８ａから突出する前記突起部４８ｃが底壁部５２ａと規制部５０ｂとの間に変位可能な状態で臨むようになっている。そして、開閉部材４８は、前記駆動手段４９によって閉鎖位置に変位された状態で突起部４８ｃが規制部５０ｂに当接して位置決めされると共に、該開閉部材４８は、駆動手段４９によって開放位置に変位された状態で突起部４８ｃが底壁部５２ａに当接して位置決めされるようになっている。なお、前記規制部５０ｂは、前記庇状部３６における下領域画成壁４７における上端部の上側で、前記第３突部４５の上面４５ａで案内されて庇状部側に向かって流下するパチンコ球が当接可能な位置に臨むよう構成されており、該第３突部４５の上面４５ａを転動するパチンコ球が切欠部３６ｃに対応して開口された特別入賞口３２ａに直接は入賞しないよう構成されている。
【００４２】
ここで、前記閉鎖位置における開閉部材４８は、先端部４８ｂが前記第１画壁５１の第１壁部５１ａに近接し、該先端部４８ｂおよび第１壁部５１ａの最近接距離がパチンコ球の直径よりも小さくなるよう設定される。従って、開閉部材４８が閉鎖位置に位置する状態では、前記遊技領域２３(第２球流下経路２３ｂ)からパチンコ球が特別入賞口３２ａに入賞するのは完全に阻止される。すなわち、開閉部材４８の閉鎖位置では、支持部４８ａが規制部５０ｂの上側に位置すると共に、先端部４８ｂが前記第１画壁５１における第１壁部５１ａの下側に位置して、該閉鎖位置の開閉部材４８の外側面(右側面)および前記規制部５０ｂによって、前記庇状部３６の切欠部３６ｃはパチンコ球が通過不能に塞がれて、該開閉部材４８の外側面(右側面)および規制部５０ｂによって、前記遊技領域２３(第２球流下経路２３ｂ)の内周を画成している。言い替えると、特別入賞部３２において、閉鎖位置における開閉部材４８の外側面より左側に位置する後述する球通路５８は、当該開閉部材４８が閉鎖位置となっている遊技状態では遊技領域２３(第２球流下経路２３ｂ)からパチンコ球が通入し得ない非遊技領域(遊技領域外)となっている。
【００４３】
また、前記開放位置での開閉部材４８は、図４に二点鎖線で示す如く、該開閉部材４８が前記第１壁部５１ａよりも右方へ突出して遊技領域２３(第２球流下経路２３ｂ)に延出すると共に、前記先端部４８ｂは、第１壁部５１ａに対してパチンコ球の直径よりも大きく離間し、遊技領域２３(第２球流下経路２３ｂ)から特別入賞口３２ａへのパチンコ球の入賞を許容するよう構成される。なお、開放位置の開閉部材４８は、前記庇状部３６の上領域画成壁４６における下端部側の延長線上に臨み、該上領域画成壁４６により誘導されたパチンコ球を開閉部材４８で受けて特別入賞口３２ａに導びき得るよう構成されている。また、開放位置の開閉部材４８における先端部４８ｂと前記第２突部４４および盤面飾り部材２５との離間間隔は、パチンコ球１個分以上に設定されており、該開閉部材４８が開放位置に変位した場合であっても、パチンコ球の流下経路によっては開閉部材４８で受られることなく前記第３突部４５側に流下し得るよう構成されている。
【００４４】
(球通路５８について)
前記特別入賞部３２には、前記特別入賞口３２ａに入賞したパチンコ球が通過する球通路５８が画成される。具体的には、前記第１画壁５１と第２画壁５２および前壁５０ａとによって、特別入賞口３２ａに連通する球通路５８が画成されている。この球通路５８は、前記第２画壁５２の底壁部５２ａの上面を底面とする通路であって、該底壁部５２ａの上面と第１画壁５１における第１壁部５１ａおよび第２壁部５１ｂとの対向間隔(球通路５８の上下寸法)は、パチンコ球２個分の幅寸法より大きく設定されている。そして、第１画壁５１の第３壁部５１ｃと第２画壁５２の下壁部５２ｂとの間に、上下方向に貫通する通出部５８ａが画成されて、該通出部５８ａに、前記本体５０に配設された特別入賞検出手段(検出手段)５９の検出部５９ａが位置するよう構成される。通出部５８ａは、底壁部５２ａの左端側、すなわち球通路５８の下流端部に設けられて前記遊技領域２３(第２球流下経路２３ｂ)から横方向に離間して位置しており、該通出部５８ａに位置する特別入賞検出手段５９の検出部５９ａは、球通路５８における遊技領域２３(第２球流下経路２３ｂ)から横方向に離間する下流端に位置している。実施例の検出部５９ａは、上下方向に開放する検出孔であって、該検出部５９ａをパチンコ球が通過することで該パチンコ球を検出するよう構成されている。そして、特別入賞検出手段５９がパチンコ球を検出すると、図示しない制御手段の制御下に所定数の賞球の払い出しが行われるよう構成される。
【００４５】
前記枠状装飾体３４には、前記特別入賞部３２の球通路５８における通出部５８ａに連通する排出路６０が設けられており、球通路５８から通出部５８ａを通って排出路６０に通入したパチンコ球は、排出路６０の下流端に設けられた球出口６０ａから遊技盤２０の裏側に排出されるよう構成される。なお、実施例では、枠状装飾体３４における庇状部３６(具体的には下領域画成壁４７)の後端から開口部３４ａ側に延在するように設けられた支持縁部４７ａと、後述するカバー部材６１とによって排出路６０が画成されるようになっている。
【００４６】
(カバー部材６１について)
前記枠状装飾体３４には、前記特別入賞部３２における閉鎖位置の開閉部材４８および前記球通路５８の前側を覆うカバー部材６１が配設されている。このカバー部材６１は、図５に示す如く、平板状のカバー部６２と、該カバー部６２の後面に設けられて前記排出路６０を画成する通路壁６３とを備える。カバー部６２には、後方に延出する複数のボス部６２ａが設けられており、各ボス部６２ａが枠状装飾体３４の対応する位置にネジ止めされることで、当該カバー部材６１は、カバー部６２の裏面が前記特別入賞部３２の画壁５１,５２の前面に当接した状態で位置決め固定される。また、枠状装飾体３４に対するカバー部材６１の固定状態で、前記通路壁６３の後端が枠状装飾体３４の前記支持縁部４７ａの前面に当接し、該通路壁６３、カバー部６２および支持縁部４７ａによって前記排出路６０が画成されるようになっている。
【００４７】
また、前記カバー部材６１のカバー部６２は、前記特別入賞部３２の閉鎖位置の開閉部材４８より遊技領域２３側(第２球流下経路２３ｂ側)に延在して、前記開放位置の開閉部材４８の前側を覆うよう構成される。すなわち、カバー部６２は、図４に示す如く、閉鎖位置と開放位置との間を変位する開閉部材４８の変位領域の前側を覆うように延在して、開閉部材４８に対する前側からのアクセス(手指による不正操作)を規制し得るようになっている。更に、前記カバー部６２は、図２,図４に示す如く、前記第２突部４４の前側まで延在して、該第２突部４４の前面にカバー部６２の後面が当接した状態で、前記ボス部６２ａが第２突部４４にネジ止めされるようになっている。すなわち、カバー部材６１は、第２突部４４と前記上領域画成壁４６および閉鎖位置の開閉部材４８との間に画成されている遊技領域２３(第２球流下経路２３ｂ)の一部を前側から覆い得るよう構成されている。また、カバー部６２の裏面は、前記遊技盤２０の前面から前方にパチンコ球が通過可能な間隔で離間している。なお、カバー部６２は、閉鎖位置の開閉部材４８を挟む上下両側において、対応するボス部６２ａが枠状装飾体３４にネジ止め固定されている。すなわち、カバー部６２は、遊技領域２３(第２球流下経路２３ｂ)を挟む左右両側で枠状装飾体３４にネジ止め固定されており、該遊技領域２３(第２球流下経路２３ｂ)を流下するパチンコ球が該カバー部６２に接触しても裏面位置が容易に変位しないように構成されている。また、カバー部６２は透明に構成されて、該カバー部６２を透して後側を流下するパチンコ球の動きが前側から見えるよう構成されている。
【００４８】
ここで、前記カバー部材６１を枠状装飾体３４に配設した状態で、前記特別入賞口３２ａは、前記開閉部材４８を開放位置に変位することで前記遊技盤２０の前面とカバー部材６１(具体的にはカバー部６２)との間において前記遊技領域２３(第２球流下経路２３ｂ)に対して横向きに開口するようになっている)。そして、前記開閉部材４８は、カバー部材６１(カバー部６２)の裏面に沿って開放位置と閉鎖位置との間を回動するよう構成される。
【００４９】
(カバー部材６１の検査用開口部６２ｂについて)
前記カバー部材６１のカバー部６２には、前記球通路５８の前側を覆う位置に、前後に開口して球通路５８に連通する検査用開口部(開口部)６２ｂが形成されており、該検査用開口部６２ｂを介してパチンコ球を前側から球通路５８に通入可能に構成されている。球通路５８は、前述したように、閉鎖位置の開閉部材４８における外側面より左側に位置する非遊技領域(遊技領域外)に位置するものであり、カバー部６２における該球通路５８の前側を覆う位置に設けられる検査用開口部６２ｂについても非遊技領域(遊技領域外)に位置している。
【００５０】
前記検査用開口部６２ｂの大きさは、パチンコ球の１個分より大きく２個分より小さく設定されて、一度に複数のパチンコ球を同時に球通路５８に通入させ得ないよう構成される。また、検査用開口部６２ｂは、前記特別入賞検出手段５９から横方向にずれて、該特別入賞検出手段５９(検出部５９ａ)より上流側で球通路５８に連通している。具体的には、特別入賞検出手段５９の検出部５９ａの真上の位置から特別入賞口３２ａ側にずれて検査用開口部６２ｂが位置するよう設定されて、前記閉鎖位置の開閉部材４８と検出部５９ａとの間に位置している。より具体的には、図４に示す如く、検出部５９ａの孔の上方領域と検査用開口部６２ｂとが前後方向に重なる幅(左右方向の幅)がパチンコ球１個分より小さい幅となるように、該検査用開口部６２ｂが横方向にずれている。なお、検査用開口部６２ｂを、孔の上方領域と前後方向に全く重ならない位置に設けるようにしてもよい。
【００５１】
前記検査用開口部６２ｂは、前記開放位置の開閉部材４８で案内されて前記球通路５８内を移動するパチンコ球の移動経路から外れた位置に設けられている。具体的には、検査用開口部６２ｂの下端が、前記第２画壁５２における底壁部５２ａの上面(球通路５８の底面)から上方にパチンコ球１個分以上の距離だけ離間するように該検査用開口部６２ｂが形成されている。これにより、底壁部５２ａの上面(球通路５８の底面)を転動するパチンコ球は、前記検査用開口部６２ｂの後側に重なる位置を通ることはなく、該検査用開口部６２ｂからパチンコ球が通路外に飛び出さないように構成されている。また、前記カバー部材６１におけるカバー部６２の前面と、前記前枠１３を中枠１２に対して閉成した状態での前記透視保護板１３ｂの裏面との離間間隔は、パチンコ球１個分より小さい幅となるように設定されており、中枠１２に対して前枠１３を閉成した状態では、前記検査用開口部６２ｂに前側からパチンコ球が通入し得ないように構成されている。
【００５２】
ここで、前記カバー部材６１におけるカバー部６２には、パチンコ球を透かして前側から見るのには支障のない凹凸による光拡散処理や非透明の装飾が施されると共に、前記検査用開口部６２ｂは、該光拡散処理の形態や装飾を模した形状で開口するよう形成されて、該検査用開口部６２ｂが形成されていることを認識することが困難に構成してある。
【００５３】
〔実施例の作用〕
次に、前述した実施例に係るパチンコ機１０の作用につき説明する。
【００５４】
先ず、前記パチンコ機１０の検査工程で実施される特別入賞部３２の賞球確認をする場合について説明する。賞球確認に際しては、前記ソレノイド５４を非励磁状態としたもとで、前記前枠１３を開放し、前記カバー部材６１の検査用開口部６２ｂからパチンコ球を球通路５８に通入させる。すなわち、前記特別入賞部３２の開閉部材４８を強制開放することなく、前記カバー部材６１の検査用開口部６２ｂを介して前側からパチンコ球を特別入賞部３２に入賞させることができ、パチンコ機１０の検査工程で実施される特別入賞部３２の賞球確認を効率的に行い得る。また、検査用開口部６２ｂは、前記球通路５８の前側を覆うカバー部材６１(具体的にはカバー部６２)の前後方向に開口するように設けているので、賞球確認作業に際してパチンコ球を前側から簡単に球通路５８に通入させることができる。
【００５５】
実施例のパチンコ機１０は、閉鎖位置の開閉部材４８の全体を前側からカバー部材６１で覆うように構成したので、閉鎖位置にある開閉部材４８に対してアクセスして不正器具等を引っ掛ける行為が難しくなり、遊技中のゴト行為による不正開放を抑制して賞球の不正獲得を防ぐことができる。更に、実施例では、カバー部材６１(カバー部６２)の寸法を、開放位置の開閉部材４８までも覆い得る大きさとしたので、カバー部材６１の開放端から閉鎖位置にある開閉部材４８までの離間距離が長く、該閉鎖位置にある開閉部材４８に対して不正器具等を引っ掛けることを更に難しくすることができ、更なる不正開放の抑制を図り得る。また、実施例のパチンコ機１０では、カバー部材６１のカバー部６２における閉鎖位置の開閉部材４８から離れた端部を前記第２突部４４にネジ止め固定すると共に、該閉鎖位置の開閉部材４８を挟む上下両側でカバー部６２を枠状装飾体３４に固定し(図４参照)、カバー部６２を開閉部材４８から離間させる行為をし難いようにしている。すなわち、不正器具等を用いてカバー部６２を開閉部材４８から強制的に離間させて、該カバー部６２と開閉部材４８との対向面間の隙間を広くして針金等を侵入させる不正行為を抑制することができる。
【００５６】
前記カバー部６２の前面には、前記検査用開口部６２ｂの存在を分り難くする光拡散処理や装飾が施されているので、該検査用開口部６２ｂを標的とした不正行為を行うことを思いつくのを抑制することができる。また、検査用開口部６２ｂの大きさ(開口寸法)は、パチンコ球の１個分より大きく２個分より小さく設定されているので、仮に前記前枠１３を不正に開放して該検査用開口部６２ｂからパチンコ球を特別入賞部３２に入賞させる不正行為が行われたとしても、短時間に多くのパチンコ球を入賞させることができないので、短時間で多くの賞球が不正獲得されるのを防止し得る。
【００５７】
また、前記検査用開口部６２ｂは、前記開閉部材４８の閉鎖位置において遊技領域２３(第２球流下経路２３ｂ)からパチンコ球が通入し得ない遊技領域外に設けられているので、遊技中にパチンコ球を磁石等の不正手段を用いて検査用開口部６２ｂまで移動して不正に特別入賞部３２に入賞させることはできず、賞球が不正獲得されるのを防止し得る。更に、前記検査用開口部６２ｂは、図４に示す如く、前記特別入賞検出手段５９の検出部５９ａから横方向にずれて設けられているので、所謂吊り球ゴトと称される不正行為によって検査用開口部６２ｂから球通路５８にパチンコ球を通入させても、該パチンコ球を直接検出部５９ａで検出させ得る位置に吊り下げられないので、該パチンコ球によって短時間に特別入賞検出手段５９を何度も検出状態とするのを抑制することができ、短時間で多くの賞球が不正獲得されるのを防止し得る。
【００５８】
また、実施例のパチンコ機１０は、前記特別入賞部３２の開閉部材４８を、前後方向の軸回りに回動自在に支持することで、前記カバー部材６１におけるカバー部６２の裏面に沿って開放位置と閉鎖位置との間を回動するよう構成したので、該開閉部材４８とカバー部６２との対向面間の隙間を小さくすることができ、該隙間から針金等を侵入させる不正行為を抑制し得る。
【００５９】
実施例のパチンコ機１０において、前記特別入賞部３２の開閉部材４８が閉鎖位置にある状態で右打ちを行い、前記第２球流下経路２３ｂにパチンコ球が流下する場合は、該パチンコ球は、前記複数の突部４３,４４,４５や庇状部３６(上領域画成壁４６,下領域画成壁４７)に接触して流下方向が変更されつつ該第２球流下経路２３ｂを流下する。開閉部材４８の閉鎖位置では、図４に示す如く、前記特別入賞口３２ａはパチンコ球が通入不能な状態で塞がれており、第２球流下経路２３ｂを流下するパチンコ球が特別入賞口３２ａに入賞することはない。また、前記検査用開口部６２ｂは、開閉部材４８が閉鎖位置にある状態でパチンコ球が通入し得ない前記球通路５８の前側の遊技領域外に位置しているので、開閉部材４８が閉鎖位置にある状態での遊技中に第２球流下経路２３ｂを流下するパチンコ球が検査用開口部６２ｂから球通路５８に通入してしまうことはない。更に、前記カバー部材６１は、前記透視保護板１３ｂとの前後間隔がパチンコ球１個分より小さく設定されているので、遊技中にパチンコ球がカバー部材６１の前側に移動することはなく、遊技領域２３からパチンコ球が検査用開口部６２ｂを介して特別入賞部３２に入賞することはない。すなわち、パチンコ機１０の検査工程で実施される特別入賞部３２の賞球確認を効率的に行うために検査用開口部６２ｂを設けても、開閉部材４８が閉鎖位置にある状態での遊技中に該検査用開口部６２ｂから特別入賞部３２にパチンコ球が入賞することはない。
【００６０】
前記特別入賞部３２の開閉部材４８が開放位置に変位し、該開閉部材４８が遊技領域２３(第２球流下経路２３ｂ)に臨むと、前記右打ちによって第２球流下経路２３ｂを流下するパチンコ球は、前記庇状部３６における上領域画成壁４６によって開放位置の開閉部材４８に向けて導かれ、該パチンコ球が開閉部材４８で案内されて特別入賞口３２ａに入賞する。前記特別入賞口３２ａに入賞したパチンコ球が通過する前記球通路５８の底面を形成する前記底壁部５２ａと前記検査用開口部６２ｂとの上下方向の離間間隔は、パチンコ球１個分より長く、該底壁部５２ａ上を移動するパチンコ球の移動経路から外れた位置に検査用開口部６２ｂが設けられているので、球通路５８内を移動するパチンコ球が検査用開口部６２ｂから通路外に出てしまうのを防止し得る。すなわち、パチンコ機１０の検査工程で実施される特別入賞部３２の賞球確認を効率的に行うため検査用開口部６２ｂを設けても、開閉部材４８が開放位置にある状態で球通路５８を移動する(特別入賞口３２ａに入賞した)パチンコ球が該検査用開口部６２ｂから通路外に出てしまうことはなく、遊技者が不信感を抱くのは防止される。
【００６１】
実施例のパチンコ機１０では、遊技中における開閉部材４８に対する不正行為を防止するために、該開閉部材４８の前側をカバー部材６１で覆って該開閉部材４８に対するアクセスを困難にして防犯性を高めたもとで、該カバー部材６１に検査用開口部６２ｂを形成することによって賞球確認作業も簡単に行い得るようになっている。すなわち、実施例のパチンコ機１０は、賞球確認作業が簡単で、かつ防犯性が高くなっている。また、開閉部材４８をカバー部材６１で覆って防犯性を高めることで、特別入賞部３２における開閉部材４８の駆動手段４９として、開閉部材４８の強制開放を防ぐ対策を施した複雑な構成を採用する必要はなく、構成を簡単にし得ると共にコストを低減することができる。なお、実施例のパチンコ機１０は、開閉部材４８を強制開放しなくても賞球確認作業を行い得るので、駆動手段４９として、該駆動手段４９の非作動状態(ソレノイド５４の非励磁状態)で開閉部材４８の開放を完全に不能とする不正対策を施した構造を採用して更に高い防犯性を確保し得るようにすることもできる。
【００６２】
(変更例)
本願は前述した実施例の構成に限定されるものではなく、その他の構成を適宜に採用することができる。
(1) 実施例では、特別入賞部の特別入賞口を開閉する開閉部材の前側をカバー部材で覆うよう構成したが、該カバー部材で覆う開閉部材は、始動入賞部の始動口を開閉する開閉部材やその他の入賞部の入賞口を開閉する開閉部材であってもよい。
(2) 実施例では、特別入賞部(カバー部材で開閉部材が覆われる入賞部)を、第２球流下経路を流下するパチンコ球が入賞可能な位置に設けたが、該特別入賞部は第１球流下経路を流下するパチンコ球が入賞可能な位置に設けられたもであってもよい。
(3) 実施例では、特別入賞部(カバー部材で開閉部材が覆われる入賞部)を枠状装飾体に配設したが、該特別入賞部は遊技盤に設けられたものであってもよい。
(4) 実施例のカバー部材は、閉鎖位置と開放位置との間を変位する開閉部材の変位領域の前側を覆い得る形状および寸法としたが、閉鎖位置の開閉部材の前側を覆い得る形状および寸法のカバー部材を採用し得る。
(5) 実施例のカバー部材は、開閉部材の前側を覆うカバー部と、球通路から通出されたパチンコ球を排出案内する排出路を画成する通路壁とを設けた構成としたが、カバー部のみの構成を採用し得る。
(6) 実施例では、カバー部材で前側が覆われる開閉部材が配設される部材(本体)と、カバー部材とを別体で構成したが、開閉部材が配設される部材(本体)にカバー部材を一体に形成した構成を採用し得る。
【００６３】
(7) 実施例では、開閉部材の前側を覆うカバー部材に検査用開口部を設けた場合で説明したが、該検査用開口部は、遊技領域外であって、球通路における特別入賞検出手段(検出手段)より上流側に連通する位置に設けられるものであれば、カバー部材以外の部材に設けたものであってもよい。例えば、図８(ａ)に示す如く、特別入賞部３２の本体５０における球通路５８を画成する第１画壁５１(第１壁部５１ａ,第２壁部５１ｂ)に、検査用開口部６４を上下方向に開口するように設ける構成を採用し得る。また、図８(ｂ)に示す如く、球通路５８を画成する第１画壁５１の形状を変更することで、該第１画壁５１、第２画壁５２および前壁５０ａで画成される球通路５８に連通する検出用領域６５を、該球通路５８内を移動するパチンコ球の移動経路より上方に形成し、該検出用領域６５を画成する壁に、左右方向に開口するように検査用開口部６４を設ける構成を採用し得る。なお、図８(ｂ)に示すように検出用領域６５を形成した場合は、カバー部材６１におけるカバー部６２の形状を図示例のように変更して検出用領域６５を前側から覆うようにしたり、該検出用領域６５の前側を塞ぐ壁を第１画壁５１に形成するようにしてもよい。更には、入賞口に入賞したパチンコ球が通過する球通路に、別の球通路を連通するように設け、該別の球通路における遊技領域外の位置に検査用開口部を、前後方向、上下方向または左右方向に開口するように設ける構成を採用し得る。すなわち、検査用開口部は、球通路を通過するパチンコ球を検出する検出手段の配設位置より上流側の球通路にパチンコ球を通入可能で、かつ開閉部材が閉鎖位置の遊技状態でパチンコ球が入り込むことがない遊技領域外の位置に設けられるものであれば、該検査用開口部を形成する部材はカバー部材や本体以外であってもよい。
(8) 実施例では、１つの開閉部材によって特別入賞口(入賞口)を開閉するよう構成したが、相互に近接・離間移動する２つの開閉部材によって開閉手段を構成し、該２つの開閉部材が相互に近接した入賞口の閉鎖位置において両開閉部材の前側をカバー部材で覆う構成を採用し得る。
(9) 遊技機としては、パチンコ機に限られるものではなく、アレンジボール機やパチンコ球を用いたスロットマシン等、その他各種の遊技機であってもよい。
【符号の説明】
【００６４】
２０ 遊技盤
２３ 遊技領域
３２ａ 特別入賞口(入賞口)
４８ 開閉部材(開閉手段)
５８ 球通路
５９ 特別入賞検出手段(検出手段)
６１ カバー部材
６２ｂ 検査用開口部(開口部)
６４ 検査用開口部(開口部)
【図１】
2016202334.tif 000003
【図２】
2016202334.tif 000004
【図３】
2016202334.tif 000005
【図４】
2016202334.tif 000006
【図５】
2016202334.tif 000007
【図６】
2016202334.tif 000008
【図７】
2016202334.tif 000009
【図８】
2016202334.tif 000010